(57)【要約】【課題】１の監視ユニットから別の監視ユニットへと信号を伝達することで１の監視ユニットによる電池セルの状態の監視結果を別の監視ユニットを介してマイコン１２に取り込むものにあって、上記監視結果の取得に要する時間が長期化すること。【解決手段】監視ユニットＵ１〜Ｕ（ｎ−１）は、状態の監視結果を監視ユニットＵｎを介して論理合成部２０に出力する一方、監視ユニットＵ２ｎ〜（ｎ＋２）は、状態の監視結果を監視ユニットＵ（ｎ＋１）を介して論理合成部２０に出力する。論理合成部２０では、これら一対の出力信号を論理合成し、これをフォトカプラ３０を介してマイコン１２に出力する。【選択図】      図１
2010203993.tif 000002
【特許請求の範囲】
【請求項１】
複数個の電池セルの直列接続体としての組電池を構成する１又は隣接する複数個の電池セルである単位電池について、該単位電池の状態を監視する監視ユニットを複数備えて且つ、１の監視ユニットから別の監視ユニットへと信号を伝達することで、１の監視ユニットによる前記状態の監視結果を前記別の監視ユニットを介して取得手段に出力する組電池の状態監視装置において、
前記取得手段に前記監視結果を出力する監視ユニットである前記別の監視ユニットを複数備え、
前記別の監視ユニット毎に、該別の監視ユニットを介して前記状態の監視結果を出力する前記１の監視ユニットは、隣接するもの同士が信号線を介して接続されており、
前記１の監視ユニットによる前記状態の監視結果を前記別の監視ユニットへと取り込むための信号の伝達は、前記信号線を介して行われることを特徴とする組電池の状態監視装置。
【請求項２】
前記別の監視ユニットの出力信号同士を合成する出力信号合成手段を備え、
前記取得手段は、前記合成された出力信号を取得することを特徴とする請求項１記載の組電池の状態監視装置。
【請求項３】
前記取得手段は、絶縁手段を介して前記合成された出力信号を取得することを特徴とする請求項２記載の組電池の状態監視装置。
【請求項４】
前記別の監視ユニットが互いに隣接する一対の監視ユニットからなることを特徴とする請求項２又は３記載の組電池の状態監視装置。
【請求項５】
前記各監視ユニットは、前記状態の監視に関する複数の処理のいずれかを指示する指示信号を取り込む手段を備えて且つ、該指示信号によって指示された処理の結果を前記監視結果として出力するものであり、
前記指示信号は、前記互いに相違する別の監視ユニットを介して前記取得手段に監視結果を出力する監視ユニット同士で前記複数の処理を行う頻度が異なるように設定されることを特徴とする請求項１記載の組電池の状態監視装置。
【請求項６】
前記取得手段は、各別の絶縁手段を介して前記別の監視ユニットのそれぞれの出力信号を取り込むものであり、
前記別の監視ユニットが互いに隣接する一対の監視ユニットを含んで且つ、該一対の監視ユニットのそれぞれの監視対象となる単位電池間に、これらの間を導通及び遮断する開閉器が設けられてなることを特徴とする請求項１又は５記載の組電池の状態監視装置。
【請求項７】
複数個の電池セルの直列接続体としての組電池を構成する１又は隣接する複数個の電池セルである単位電池について、該単位電池の状態を監視する監視ユニットを複数備えて且つ、１の監視ユニットから別の監視ユニットへと信号を伝達することで、１の監視ユニットによる前記状態の監視結果を前記別の監視ユニットを介して取得手段に出力する組電池の状態監視装置において、
前記取得手段に監視結果を出力する監視ユニットである前記別の監視ユニットを複数備え、
前記別の監視ユニットの出力信号同士を合成する出力信号合成手段を更に備え、
前記取得手段は、前記合成された出力信号を取得することを特徴とする組電池の状態監視装置。
【請求項８】
前記隣接する監視ユニット同士は、前記信号線とは別に、前記状態の監視を指示する指示信号を伝達させるための電気経路にて接続されており、
前記別の監視ユニットのそれぞれにとっての前記信号の伝達に関する最上流の監視ユニットに前記指示信号が出力されることで、前記電気経路を介して前記別の監視ユニットまで指示信号を伝達するようにしたことを特徴とする請求項１〜６のいずれか１項に記載の組電池の状態監視装置。
【請求項９】
前記監視ユニットは、前記単位電池の状態を監視し、その結果に応じた監視結果信号を生成する監視手段を備え、
前記監視ユニットのうち前記信号の伝達に関する最上流以外の監視ユニットは、上流の監視ユニットから入力される信号と前記監視結果信号との合成信号を生成して出力することを特徴とする請求項１〜８のいずれか１項に記載の組電池の状態監視装置。
【請求項１０】
前記単位電池が複数の電池セルからなり、
前記監視手段は、監視対象の単位電池を構成する複数の電池セルのそれぞれの状態を検出する状態検出手段と、該状態検出手段の検出結果を合成する検出結果合成手段とを備え、該検出結果合成手段の出力を前記監視結果信号とすることを特徴とする請求項９記載の組電池の状態監視装置。
【発明の詳細な説明】
【技術分野】
【０００１】
本発明は、複数個の電池セルの直列接続体としての組電池を構成する１又は隣接する複数個の電池セルである単位電池について、該単位電池の状態を監視する監視ユニットを複数備えて且つ、１の監視ユニットから別の監視ユニットへと信号を伝達することで、１の監視ユニットによる前記状態の監視結果を前記別の監視ユニットを介して取得手段に出力する組電池の状態監視装置に関する。
【背景技術】
【０００２】
この種の状態監視装置としては、例えば下記特許文献１に見られるように、最高電位の監視ユニットに、電池セルの過充電状態の検出及び過放電状態の検出のいずれかの処理を行う旨の指示信号が出力されることで、高電位側の監視ユニットから隣接する低電位側の監視ユニットへと順に指示信号を出力し、監視ユニットの全てに指示信号を伝達させるものも提案されている。各監視ユニットでは、指示信号に応じた処理を行い、その処理結果と、隣接する高電位側の監視ユニットから入力される信号との合成信号を生成して隣接する低電位側の監視ユニットに出力する。これにより、最低電位の監視ユニットから出力される信号は、上記指示信号に応じた処理についての全電池セルの結果を合成した信号となる。このため、この信号によって、少なくとも１つの電池セルに過充電異常や過放電異常があるか否かを判断することができる。
【先行技術文献】
【特許文献】
【０００３】
【特許文献１】特開２００７−２７８９１３号公報
【発明の概要】
【発明が解決しようとする課題】
【０００４】
ところで、上記状態監視装置の場合、高電位側の監視ユニットから低電位側の監視ユニットへと順に監視結果を出力することで全電池セルについての監視結果を合成する処理を行うため、監視結果の取得に要する時間が長期化するおそれがある。
【０００５】
本発明は、上記課題を解決するためになされたものであり、その目的は、１の監視ユニットから別の監視ユニットへと信号を伝達することで１の監視ユニットによる単位電池の状態の監視結果を別の監視ユニットを介して取得するものにあって、上記監視結果の取得に要する時間を短縮することのできる組電池の状態監視装置を提供することにある。
【課題を解決するための手段】
【０００６】
以下、上記課題を解決するための手段、及びその作用効果について記載する。
【０００７】
請求項１記載の発明は、複数個の電池セルの直列接続体としての組電池を構成する１又は隣接する複数個の電池セルである単位電池について、該単位電池の状態を監視する監視ユニットを複数備えて且つ、１の監視ユニットから別の監視ユニットへと信号を伝達することで、１の監視ユニットによる前記状態の監視結果を前記別の監視ユニットを介して取得手段に出力する組電池の状態監視装置において、前記取得手段に前記監視結果を出力する監視ユニットである前記別の監視ユニットを複数備え、前記別の監視ユニット毎に、該別の監視ユニットを介して前記状態の監視結果を出力する前記１の監視ユニットは、隣接するもの同士が信号線を介して接続されており、前記１の監視ユニットによる前記状態の監視結果を前記別の監視ユニットへと取り込むための信号の伝達は、前記信号線を介して行われることを特徴とする。
【０００８】
上記発明では、１の監視ユニットから別の監視ユニットへと信号を伝播させることで、１の監視ユニットによる状態の監視結果を別の監視ユニットを介して取得手段に出力するために、監視ユニット及び取得手段間の通信線の数を低減することなどができる。特に、１の監視ユニットと別の監視ユニットとが隣接するものでない場合であっても、信号線を用いて隣接する監視ユニットに信号を伝播させる処理を通じて最終的に別の監視ユニットに信号を伝達させるため、各監視ユニットの耐圧を極力低減することができる。ただしこの場合、監視ユニットの数が多くなるほど、取得手段が監視結果を取得するまでに要する時間が長期化する。この点、上記発明では、取得手段に監視結果を出力する監視ユニットを複数とするため、信号伝達の上流に位置する各監視ユニットは、いずれの監視ユニットを介して監視結果を取得手段に出力するかによってグループ化される。すなわち、信号の伝達経路が複数に分割される。これにより、監視結果を取得手段が取得するまでに要する時間を極力低減することができる。
【０００９】
なお、上記「隣接する監視ユニット」とは、組電池との接続箇所によって定まる電位が互いに隣接する監視ユニットのこととする。
【００１０】
請求項２記載の発明は、請求項１記載の発明において、前記別の監視ユニットの出力信号同士を合成する出力信号合成手段を備え、前記取得手段は、前記合成された出力信号を取得することを特徴とする。
【００１１】
上記発明では、出力信号合成手段を備えるために、監視結果に関する信号を取り込むための取得手段の入力端子数を低減することができる。
【００１２】
請求項３記載の発明は、請求項２記載の発明において、前記取得手段は、絶縁手段を介して前記合成された出力信号を取得することを特徴とする。
【００１３】
上記発明では、出力信号合成手段を備えるために、別の監視ユニットの出力信号のそれぞれを絶縁手段を介してそれぞれ取得する場合と比較して、絶縁手段の数を低減することができる。
【００１４】
請求項４記載の発明は、請求項２又は３記載の発明において、前記別の監視ユニットが互いに隣接する一対の監視ユニットからなることを特徴とする。
【００１５】
上記発明では、別の監視ユニットが隣接する一対の監視ユニットであるために、これら一対の監視ユニットの出力信号の電位を極力近似させることができる。このため、出力信号合成手段の耐圧を極力低下させることができる。
【００１６】
請求項５記載の発明は、請求項１記載の発明において、前記各監視ユニットは、前記状態の監視に関する複数の処理のいずれかを指示する指示信号を取り込む手段を備えて且つ、該指示信号によって指示された処理の結果を前記監視結果として出力するものであり、前記指示信号は、前記互いに相違する別の監視ユニットを介して前記取得手段に監視結果を出力する監視ユニット同士で前記複数の処理を行う頻度が異なるように設定されることを特徴とする。
【００１７】
組電池は大きなスペースを占める傾向にあることから、温度分布を有するなど、部分部分で環境条件の相違が生じえる。そしてこの場合には、状態の監視処理のそれぞれを行うのに適した頻度が部分部分で相違することがある。上記発明では、この点に鑑み、複数の処理を行う頻度を相違させることで、各監視処理をより適切に行うことができる。
【００１８】
請求項６記載の発明は、請求項１又は５記載の発明において、前記取得手段は、各別の絶縁手段を介して前記別の監視ユニットのそれぞれの出力信号を取り込むものであり、前記別の監視ユニットが互いに隣接する一対の監視ユニットを含んで且つ、該一対の監視ユニットのそれぞれの監視対象となる単位電池間に、これらの間を導通及び遮断する開閉器が設けられてなることを特徴とする。
【００１９】
上記発明では、開閉器を備えることで、組電池を分割することができる。このため、メンテナンス時等において、開閉器を開状態としつつ作業を行うことで、組電池の両端に何らかの導体又は絶縁性の低い部材が接触したとしても、組電池と上記導体等によって閉ループ回路が構成されることを回避することが可能となる。ただし、上記発明のように隣接する監視ユニット間が信号線を介して接続される構成の場合、監視ユニット及び信号線が開閉器の迂回経路となるおそれがある。この点、上記発明では、開閉器が、互いに信号の授受を行わない一対の監視ユニットの監視対象とする単位電池間に設けられるために、こうした問題を回避することができる。
【００２０】
請求項７記載の発明は、複数個の電池セルの直列接続体としての組電池を構成する１又は隣接する複数個の電池セルである単位電池について、該単位電池の状態を監視する監視ユニットを複数備えて且つ、１の監視ユニットから別の監視ユニットへと信号を伝達することで、１の監視ユニットによる前記状態の監視結果を前記別の監視ユニットを介して取得手段に出力する組電池の状態監視装置において、前記取得手段に監視結果を出力する監視ユニットである前記別の監視ユニットを複数備え、前記別の監視ユニットの出力信号同士を合成する出力信号合成手段を更に備え、前記取得手段は、前記合成された出力信号を取得することを特徴とする。
【００２１】
上記発明では、１の監視ユニットから別の監視ユニットへと信号を伝達させることで、１の監視ユニットによる状態の監視結果を別の監視ユニットを介して取得手段に出力するために、監視ユニット及び取得手段間の通信線の数を低減することなどができる。ただしこの場合、監視ユニットの数が多くなるほど、監視結果を取得手段が取得するまでに要する時間が長期化する。この点、上記発明では、取得手段に監視結果を出力する監視ユニットを複数とするため、信号伝達の上流に位置する各監視ユニットは、いずれの取得手段を介して監視結果を取得手段に出力するかによってグループ化される。すなわち、信号の伝達経路が複数に分割される。これにより、監視結果を取得手段が取得するまでに要する時間を極力低減することができる。更に、上記発明では、出力信号合成手段を備えるために、監視結果に関する信号を取り込むための取得手段の入力端子数を低減することができる。
【００２２】
請求項８記載の発明は、請求項１〜６のいずれか１項に記載の発明において、前記隣接する監視ユニット同士は、前記信号線とは別に、前記状態の監視を指示する指示信号を伝達させるための電気経路にて接続されており、前記別の監視ユニットのそれぞれにとっての前記信号の伝達に関する最上流の監視ユニットに前記指示信号が出力されることで、前記電気経路を介して前記別の監視ユニットまで指示信号を伝達するようにしたことを特徴とする。
【００２３】
上記発明では、別の監視ユニットによってグループ化された監視ユニットは、最上流の監視ユニットを除いて、上流の監視ユニットから指示信号を受け取る構成のため、指示信号を出力する手段から監視ユニットの全てに直接指示信号を出力する場合と比較して、上記出力する手段及び監視ユニット間の電気経路の数を低減することができる。
【００２４】
請求項９記載の発明は、請求項１〜８のいずれか１項に記載の発明において、前記監視ユニットは、前記単位電池の状態を監視し、その結果に応じた監視結果信号を生成する監視手段を備え、前記監視ユニットのうち前記信号の伝達に関する最上流以外の監視ユニットは、上流の監視ユニットから入力される信号と前記監視結果信号との合成信号を生成して出力することを特徴とする。
【００２５】
上記発明では、取得手段が、少ない数の信号によって監視結果に関する情報を取得することができる。
【００２６】
請求項１０記載の発明は、請求項９記載の発明において、前記単位電池が複数の電池セルからなり、前記監視手段は、監視対象の単位電池を構成する複数の電池セルのそれぞれの状態を検出する状態検出手段と、該状態検出手段の検出結果を合成する検出結果合成手段とを備え、該検出結果合成手段の出力を前記監視結果信号とすることを特徴とする。
【００２７】
上記発明では、各電池セルの状態を監視しつつも、これら監視結果を伝達するための信号数を低減することができる。
【図面の簡単な説明】
【００２８】
【図１】第１の実施形態にかかるシステム構成図。
【図２】同実施形態にかかる高電位側の監視ユニットの回路構成を示す回路図。
【図３】同実施形態にかかる検出部の回路構成を示す回路図。
【図４】同実施形態にかかる検出合成部の回路構成を示す回路図。
【図５】同実施形態にかかる合成部の回路構成を示す回路図。
【図６】同実施形態にかかる低電位側の監視ユニットの回路構成を示す回路図。
【図７】同実施形態にかかる異常判断手法を示す図。
【図８】第２の実施形態にかかるシステム構成図。
【図９】同実施形態にかかる状態監視処理の手法を示すタイムチャート。
【図１０】第３の実施形態にかかるシステム構成図。
【図１１】同実施形態にかかる高電位側の監視ユニットの回路構成を示す回路図。
【図１２】同実施形態の効果を示す図。
【図１３】上記各実施形態の変形例にかかるシステム構成図。
【発明を実施するための形態】
【００２９】
（第１の実施形態）
以下、本発明にかかる組電池の状態監視装置をハイブリッド車に搭載される組電池の状態監視装置に適用した第１の実施形態について、図面を参照しつつ説明する。
【００３０】
図１に、本実施形態にかかるシステム構成を示す。
【００３１】
組電池１０は、複数（ここではｍ×２ｎ個）のリチウム２次電池（電池セルＢ１１〜Ｂ（２ｎ）ｍ）の直列接続体である。組電池１０は、車載高圧バッテリを構成するものであり、ブレーキ時の制動エネルギ等を車載発電機により電力回収する際の受け皿として機能するとともに、蓄えた電力を、ＤＣ−ＤＣコンバータを介して低圧（例えば「１２Ｖ」）の車載バッテリに供給するものである。また、組電池１０は、車両加速時にはモータでエンジンをアシストする際の電力供給源として機能する。
【００３２】
一方、状態監視装置は、「ｍ（≧２）」個ずつの電池セルＢ１１〜Ｂ１ｍ，…，Ｂ（２ｎ）１〜Ｂ（２ｎ）ｍを１つのブロックとして、ブロックの状態を監視する監視ユニットＵ１〜Ｕ２ｎを備えている。これら各監視ユニットＵｉ（ｉ＝１〜２ｎ）は、クロック信号ＣＬＫを取り込むクロック入力端子Ｔ１と、クロック信号ＣＬＫを電流に変換して出力するクロック出力端子Ｔ２と、隣接する監視ユニットの出力信号を取り込む入力端子Ｔ３と、出力信号を出力する出力端子Ｔ４とを備えている。
【００３３】
これら監視ユニットＵｉは、隣接する監視ユニットとの間で信号の授受を行う２つのグループである監視ユニットＵ１〜Ｕｎと監視ユニットＵ（ｎ＋１）〜Ｕ２ｎとにグループ化されている。
【００３４】
そしてマイクロコンピュータ（マイコン１２）は、組電池１０の各電池セルＢ１１〜Ｂ（２ｎ）ｍの所定の状態を監視させる旨の指示信号としてのクロック信号ＣＬＫを、監視ユニットＵ１及び監視ユニットＵ２ｎに出力することで、監視ユニットＵ１〜Ｕ２ｎの全てに対しクロック信号ＣＬＫを伝達させる。詳しくは、シリアルラインＬ１及びフォトカプラ１４を介して、最上流の監視ユニットＵ１のクロック入力端子Ｔ１にクロック信号ＣＬＫを出力するとともに、シリアルラインＬ２及びフォトカプラ１７を介して、最上流の監視ユニットＵ２ｎにクロック信号ＣＬＫを出力する。ここで、フォトカプラ１４，１７は、マイコン１２を備えて構成される車載低圧システムと、組電池１０を備えて構成される車載高圧システムとを絶縁するための手段である。なお、マイコン１２の出力信号の論理値と、フォトカプラ１４，１７の出力信号の論理値とは互いに逆であるが、以下では、説明の便宜上、クロック信号ＣＬＫの論理値を、フォトカプラ１４の出力信号の論理値と定義する。
【００３５】
クロック信号ＣＬＫが取り込まれると、各監視ユニットＵｉは、各電池セルＢｉ１〜Ｂｉｍの状態のうちクロック信号ＣＬＫの論理値に応じた状態を監視する。ここで、本実施形態では、論理「Ｈ」のときには、各電池セルＢｉ１〜Ｂｉｍの両端の電圧が、電池セルＢｉ１〜Ｂｉｍの信頼性の低下を招く過度な高圧である異常状態（過充電状態）にあるか否かを監視する。また、論理「Ｌ」のときには、各電池セルＢｉ１〜Ｂｉｍの両端の電圧が、電池セルＢｉ１〜Ｂｉｍの信頼性の低下を招く過度な低圧である異常状態（過放電状態）にあるか否かを監視する。そして、監視結果に応じた信号と、隣接する上流の監視ユニットの出力信号との合成信号を出力端子Ｔ４から出力する。
【００３６】
詳しくは、上記フォトカプラ１４の受光素子のコレクタは、組電池１０の正極側と接続されており、受光素子のエミッタからクロック信号ＣＬＫが監視ユニットＵ１のクロック入力端子Ｔ１に出力される。更に、組電池１０の正極側と、電池セルＢ１１〜Ｂ１ｍの負極側との間に、コレクタ及びエミッタが接続されるトランジスタ１６が備えられており、そのベースには、クロック信号ＣＬＫに応じた信号が取り込まれる。これにより、最上流の監視ユニットＵ１の入力端子Ｔ３には、電池セルＢ１１〜Ｂｎｍの状態が正常である旨と対応する信号として、トランジスタ１６のコレクタ電圧が印加される。そして、最上流の監視ユニットＵ１では、入力端子Ｔ３に印加される信号と、監視結果とを論理合成した信号を生成し、出力端子Ｔ４を介して出力する。
【００３７】
そして、最上流以外の各監視ユニットＵ２、Ｕ３…、Ｕｎは、隣接する上流の監視ユニットのクロック出力端子Ｔ２から出力される信号を、クロック線ＣＬ及びクロック入力端子Ｔ１を介して取り込む。また、隣接する上流の監視ユニットの出力端子Ｔ４から出力される出力信号を、信号線ＳＬ及び入力端子Ｔ３を介して取り込む。そして、クロック入力端子Ｔ１から取り込まれる信号に応じて、上記２つの状態のいずれか一方を監視し、監視結果に応じた信号と、入力端子Ｔ３から取り込まれた信号とを論理合成した信号を生成し、出力端子Ｔ４を介して出力する。
【００３８】
一方、上記フォトカプラ１７の受光素子のコレクタは、ブロック（電池セルＢ（２ｎ）１〜Ｂ（２ｎ）ｍ）の正極側と接続されており、受光素子のエミッタからクロック信号ＣＬＫが監視ユニットＵ（２ｎ）のクロック入力端子Ｔ１に出力される。更に、上記ブロックの正極側と負極側との間に、コレクタ及びエミッタが接続されるトランジスタ１８が備えられており、そのベースには、クロック信号ＣＬＫに応じた信号が取り込まれる。これにより、最上流の監視ユニットＵ２ｎの入力端子Ｔ３には、電池セルＢ（２ｎ）１〜Ｂ（２ｎ）ｍの状態が正常である旨と対応する信号として、トランジスタ１８のコレクタ電圧が印加される。そして、最上流の監視ユニットＵ２ｎでは、入力端子Ｔ３に印加される信号と、監視結果とを論理合成した信号を生成し、出力端子Ｔ４を介して出力する。
【００３９】
そして、最上流以外の各監視ユニットＵ（２ｎ−１）、Ｕ（２ｎ−２）…、Ｕ（ｎ＋１）は、隣接する上流の監視ユニットのクロック出力端子Ｔ２から出力される信号を、クロック線ＣＬ及びクロック入力端子Ｔ１を介して取り込む。また、隣接する上流の監視ユニットの出力端子Ｔ４から出力される出力信号を、信号線ＳＬ及び入力端子Ｔ３を介して取り込む。そして、クロック入力端子Ｔ１から取り込まれる信号に応じて、上記２つの状態のいずれか一方を監視し、監視結果に応じた信号と、入力端子Ｔ３から取り込まれた信号とを論理合成した信号を生成し、出力端子Ｔ４を介して出力する。
【００４０】
そして、上記一対の最下流の監視ユニットＵｎ、Ｕ（ｎ＋１）の出力信号は、論理合成部２０によって論理合成された後、フォトカプラ３０及びシリアルラインＬ３を介してマイコン１２に取り込まれる。
【００４１】
図２に、高電位側の監視ユニットＵｊ（ｊ＝１〜ｎ）の構成を示す。
【００４２】
図示されるように、クロック入力端子Ｔ１から取り込まれるクロック信号ＣＬＫは、トランジスタ７１のベースに入力される。トランジスタ７１のベース及びエミッタ間には、抵抗体７２が接続されている。トランジスタ７１のコレクタは、抵抗体７３を介して、ブロック（電池セルＢｊ１〜Ｂｊｍ）の正極側と接続されており、エミッタは、ブロックの負極側に接続されている。また、トランジスタ７１のコレクタは、抵抗体７４，７５を介してブロックの負極側に接続されている。更に、トランジスタ７１のコレクタには、トランジスタ７７のベースが接続されている。このトランジスタ７１のエミッタは、抵抗体７６を介してブロックの正極に接続されており、またコレクタは、クロック出力端子Ｔ２と接続されている。これにより、クロック入力端子Ｔ１から取り込まれるクロック信号ＣＬＫが、クロック出力端子Ｔ２を介して下流の監視ユニットＵ（ｊ＋１）へと出力される。
【００４３】
また、ブロック内のｍ個の電池セルＢｊ１〜Ｂｊｍのそれぞれの状態は、検出部４０によって検出され、検出結果が２つの信号に集約されて検出合成部５０に出力される。検出合成部５０では、集約された２つの信号と、クロック信号ＣＬＫとを論理合成することで、単一の監視結果信号を生成し、これを合成部６０に出力する。合成部６０には、監視結果信号に加えて、クロック入力端子Ｔ１から取り込まれるクロック信号ＣＬＫ（トランジスタ７１のコレクタ電圧）と、入力端子Ｔ３から取り込まれる上流の監視ユニットＵ（ｊ＋１）の出力信号とが取り込まれる（ただし、監視ユニットＵ１については、入力端子Ｔ３から、先の図１に示したトランジスタ１６のコレクタ電圧が取り込まれる）。詳しくは、入力端子Ｔ３は、トランジスタ７８のベースに接続されている。このトランジスタ７８のエミッタ及びベース間には、抵抗体７９が接続されており、コレクタには、抵抗体８０を介してブロックの正極が接続され、エミッタにはブロックの負極が接続されている。これにより、ベースに入力される信号に応じて、抵抗体８０、コレクタ及びエミッタを介してブロックの正極側から負極側に電流が流れるようになっている。そして、コレクタの電位が、合成部６０に取り込まれる。
【００４４】
合成部６０では上記３つの信号が論理合成され、論理合成された信号は、トランジスタ８１のベースに出力される。このトランジスタ８１のエミッタは、抵抗体８２を介してブロックの正極側に接続されており、コレクタは、出力端子Ｔ４と接続されている。このため、合成部６０の出力信号（電圧信号）は、トランジスタ８１によって電流信号に変換されて、外部へと出力されることとなる。
【００４５】
図３に、検出部４０の構成を示す。
【００４６】
検出部４０は、各電池セルＢｊ１〜Ｂｊｍ毎に、その両端の電圧を閾値電圧と比較するコンパレータ４１を備えている。コンパレータ４１の反転入力端子には、各電池セルＢｊ１〜Ｂｊｍの負極電位を基準とする基準電圧源４２の基準電圧Ｖｒｅｆが印加されている。一方、コンパレータ４１の非反転入力端子には、各電池セルＢｊ１〜Ｂｊｍの両端の電圧の所定の分圧が印加される。そして、この分圧と基準電圧Ｖｒｅｆとによって、閾値電圧が設定されるようになっている。
【００４７】
具体的には、各電池セルＢｉｊの両端には、抵抗４３，４４の直列接続体が接続されており、これら抵抗４３及び抵抗４４の接続点であるノードＮ１がコンパレータ４４の非反転入力端子と接続されている。また、各電池セルＢｊ１〜Ｂｊｍの正極側には、トランジスタ４６のエミッタが接続されており、トランジスタ４６のコレクタが抵抗４５を介してノードＮ１と接続されている。そして、トランジスタ４６のベースは、ダイオード４７、スイッチング素子ＳＷのコレクタ及びエミッタを介して、電池セルＢｊ１〜Ｂｊｍの負極側と接続されている。
【００４８】
スイッチング素子ＳＷは、クロック信号ＣＬＫに応じて駆動される。すなわち、上記クロック入力端子Ｔ１は、抵抗７４，７５を介して電池セルＢｊ１〜Ｂｊｍの負極側と接続されており、抵抗７４，７５の接続点がスイッチング素子ＳＷのベースと接続されることで、クロック信号ＣＬＫが論理「Ｌ」であるときに、スイッチング素子ＳＷが導通状態となる。これにより、トランジスタ４６がオンとなるため、ノードＮ１の電圧が変化する。これは以下の理由による。
【００４９】
今、抵抗４３，４４，４５の抵抗値をそれぞれ抵抗値Ｒ１，Ｒ２，Ｒ３とし、各電池セルＢｊ１〜Ｂｊｍの両端の電圧値を電圧Ｖとする。このとき、トランジスタ４６がオフ状態であるときには、ノードＮ１の電圧は、「Ｖ×Ｒ２／（Ｒ１＋Ｒ２）」となる。一方、トランジスタ４６がオン状態となると、ノードＮ１の電圧は、「Ｖ×Ｒ２／｛Ｒ１×Ｒ３／（Ｒ１＋Ｒ３）＋Ｒ２｝」となる。このように、トランジスタ４６がオンとなることで、非反転入力端子に入力される値が上昇する。このため、トランジスタ４６をオンさせることで、各電池セルＢｊ１〜Ｂｊｍの両端の電圧と比較する閾値電圧を低下させるのと同一の効果を得ることができる。そして、本実施形態では、クロック信号ＣＬＫが論理「Ｌ」であるときの閾値電圧を、上記過放電状態と対応する電圧とする。また、クロック信号ＣＬＫが論理「Ｈ」であるときの閾値電圧を、上記過充電状態と対応する電圧とする。
【００５０】
上記「ｍ」個の各コンパレータ４１の出力から、ＯＲ回路４８によって、それらの論理和信号が生成されるとともに、ＡＮＤ回路４９によって、それらの論理積信号が生成される。そして、これら論理和信号及び論理積信号が、上記検出合成部５０に出力される。
【００５１】
図４（ａ）に、検出合成部５０の構成を示す。ここでは、検出合成部５０に、クロック信号ＣＬＫの論理反転信号である抵抗体７３及び抵抗体７４の分圧値が入力されることに鑑み、クロック信号ＣＬＫの論理反転信号ＣＬＫ／を記載している。検出合成部５０は、上記ＯＲ回路４８の論理反転信号と上記ＡＮＤ回路４９の論理反転信号との論理積信号ａ１を生成するＡＮＤ回路５２と、クロック信号ＣＬＫの論理反転信号と上記ＡＮＤ回路４９の出力の論理反転信号との論理積信号ａ２を生成するＡＮＤ回路５４と、クロック信号ＣＬＫの論理反転信号と上記ＯＲ回路４８の出力の論理反転信号との論理積信号ａ３を生成するＡＮＤ回路５６とを備えている。そして、ＯＲ回路５８では、これら論理積信号ａ１〜ａ３の論理和信号ＯＵＴ１を生成する。
【００５２】
図４（ｂ）に、上記クロック信号ＣＬＫ、ＡＮＤ回路４９の論理積信号ＡＮＤ、ＯＲ回路４８の論理和信号ＯＲ、論理積信号ａ１〜ａ３、論理和信号ＯＵＴ１の関係を示す。図示されるように、クロック信号ＣＬＫが論理「Ｌ」である過放電状態検出時において、論理和信号ＯＵＴ１が論理「Ｈ」であるときには、電池セルＢｊ１〜Ｂｊｍの全てが過放電ではなく正常であることを意味する。また、同過放電検出時において、論理和信号ＯＵＴ１が論理「Ｌ」であるときには、電池セルＢｊ１〜Ｂｊｍのうち少なくとも１つが過放電状態であるか、監視ユニットＵｊに異常があるかのいずれかであることを意味する。
【００５３】
一方、クロック信号ＣＬＫが論理「Ｈ」である過充電検出時において論理和信号ＯＵＴ１が論理「Ｌ」であるときには、電池セルＢｊ１〜Ｂｊｍの全てが過充電ではなく正常であることを意味する。また、同過充電検出時において、論理和信号ＯＵＴ１が論理「Ｈ」であるときには、電池セルＢｊ１〜Ｂｊｍのうち少なくとも１つが過充電状態であるか、監視ユニットＵｊに異常があるかのいずれかであることを意味する。
【００５４】
論理和信号ＯＵＴ１は、１つのブロック内の電池セルＢｊ１〜Ｂｊｍの状態の監視結果を示す監視結果信号であり、これに上記入力端子Ｔ３から取り込まれる信号が、上記合成部６０にて論理合成される。
【００５５】
図５（ａ）に、合成部６０の構成を示す。ここでは、合成部６０に、クロック信号ＣＬＫの論理反転信号である抵抗体７３及び抵抗体７４の分圧値が入力されることに鑑み、クロック信号ＣＬＫの論理反転信号ＣＬＫ／を記載している。
【００５６】
合成部６０は、上記論理和信号ＯＵＴ１と上記入力端子Ｔ３から取り込まれる入力信号ＩＮとの論理積信号ｂ１を生成するＡＮＤ回路６２と、クロック信号ＣＬＫの論理反転信号と上記入力端子Ｔ３から取り込まれる入力信号ＩＮとの論理積信号ｂ２を生成するＡＮＤ回路６４と、クロック信号ＣＬＫの論理反転信号と上記論理和信号ＯＵＴ１の論理積信号ｂ３を生成するＡＮＤ回路５６とを備えている。そして、ＯＲ回路６８では、これら論理積信号ｂ１〜ｂ３の論理和信号である出力信号ＯＵＴ２を生成する。
【００５７】
図５（ｂ）に、上記クロック信号ＣＬＫ、入力端子Ｔ３から取り込まれる入力信号ＩＮ、論理和信号ＯＵＴ１、論理積信号ｂ１〜ｂ３、出力信号ＯＵＴ２の関係を示す。図示されるように、クロック信号ＣＬＫが論理「Ｌ」である過放電状態検出時において、出力信号ＯＵＴ２が論理「Ｈ」であるときには、当該監視ユニットＵｉ及びその上流の監視ユニットＵ（ｊ−１）の監視対象とする電池セルの全てが過放電ではなく正常であることを意味する。また、同過放電検出時において、出力信号ＯＵＴ２が論理「Ｌ」であるときには、上記監視対象とする電池セルのうち少なくとも１つが過放電状態であるか、監視ユニットに異常があるかのいずれかであることを意味する。
【００５８】
一方、クロック信号ＣＬＫが論理「Ｈ」である過充電検出時において出力信号ＯＵＴ２が論理「Ｌ」であるときには、当該監視ユニットＵｊ及びその上流の監視ユニットＵ（ｊ−１）の監視対象とする電池セルの全てが過充電ではなく正常であることを意味する。また、同過充電検出時において、出力信号ＯＵＴ２が論理「Ｈ」であるときには、上記監視対象とする電池セルのうち少なくとも１つが過充電状態であるか、監視ユニットに異常があるかのいずれかであることを意味する。
【００５９】
図６に、低電位側の監視ユニットＵｋ（ｋ＝ｎ＋１〜２ｎ）の構成を示す。なお、図６において、先の図２に示した部材に対応する部材については、便宜上同一の符号を付している。
【００６０】
図示されるように、本実施形態でも、検出部４０、検出合成部５０及び合成部６０を備えている点に関しては、高電位側の監視ユニットＵｊと同一である。ただし、低電位側の監視ユニットＵｋは、隣接する高電位側の監視ユニットＵ（ｋ−１）に信号を伝達する機能を有するために、信号の入出力手段の構成が監視ユニットＵｊと相違している。
【００６１】
監視ユニットＵｋのクロック入力端子Ｔ１には、トランジスタ９０のベースが接続されている。トランジスタ９０のエミッタ側は、ブロックの正極側に接続されて且つエミッタ及びベース間には、抵抗体９１が接続されている。そして、トランジスタ９０のコレクタは、抵抗体９２，９３，９４を介してブロックの負極側に接続されているとともに、抵抗体９２、９５を介してもブロックの負極側に接続されている。ここで、抵抗体９３，９４の接続点の電位は、先の図２に示した抵抗体７４，７５の接続点の電位に対応するものであり、検出部４０に取り込まれる。一方、抵抗体９２，９５の接続点は、トランジスタ９６のベースに接続されている。トランジスタ９６のエミッタは、抵抗体９７を介してブロックの負極側に接続され、トランジスタ９６のコレクタは、クロック出力端子Ｔ２に接続されている。
【００６２】
また、入力端子Ｔ３は、トランジスタ１００のベースに接続されている。トランジスタ１００のエミッタ及びベース間には、抵抗体１０１が接続され、エミッタがブロックの正極側に接続されている。また、トランジスタ１００のコレクタは、抵抗体１０２を介してブロックの負極側に接続されており、トランジスタ１００のコレクタ電圧は、合成部６０に入力されている。合成部６０の出力信号は、トランジスタ９８のベースに出力される。トランジスタ９８のエミッタは、抵抗体９９を介してブロックの負極側に接続されており、トランジスタ９８のコレクタは、出力端子Ｔ４に接続されている。
【００６３】
こうした構成とすることで、先の図１に示したマイコン１２によって、シリアルラインＬ１、Ｌ２を介してクロック信号ＣＬＫを出力することで、過充電状態及び過放電状態の２つの状態のいずれかを監視するように指示することができる。そして、マイコン１２では、監視結果を、シリアルラインＬ３を介して取り込むことができる。
【００６４】
ここで本実施形態では、先の図１に示したように、監視ユニットＵｎの出力信号及び監視ユニットＵ（ｎ＋１）の出力信号を論理合成部２０にて合成する。論理合成部２０は、監視ユニットＵｎのクロック出力端子Ｔ２及び出力端子Ｔ４から出力される一対の信号の排他的論理和信号を生成するＸＯＲ回路２２を備えている。また、監視ユニットＵ（ｎ＋１）のクロック出力端子Ｔ２及び出力端子Ｔ４から出力される一対の信号の排他的論理和信号を生成するＸＯＲ回路２４を備えている。更に、これらＸＯＲ回路２２，２４の出力信号の否定論理積信号を生成するＮＡＮＤ回路２６を備え、ＮＡＮＤ回路２６の出力信号が論理合成部２０の出力信号となる。
【００６５】
ちなみに、ＸＯＲ回路２２，２４及びＮＡＮＤ回路２６は、監視ユニットＵｎ，Ｕ（ｎ＋１）の監視対象とする一対のブロックを電源とするものである。また、ＸＯＲ回路２２は、その入力端子が抵抗体を介して監視ユニットＵ（ｎ＋１）の監視対象ブロックの負極にプルダウンされており、また、ＸＯＲ回路２４は、その入力端子が抵抗体を介して監視ユニットＵｎの監視対象ブロックの正極にプルアップされている。
【００６６】
上記監視ユニットＵｎ，Ｕ（ｎ＋１）の監視対象とする一対のブロックの正極及び負極間には、フォトカプラ３０のフォトダイオード及びトランジスタ２８の直列接続体が並列接続されている。そして、トランジスタ２８のベースに、論理合成部２０の出力信号が印加される。このため、論理合成部２０の出力信号が論理「Ｈ」である場合に、フォトカプラ３０がオン状態となり、シリアルラインＬ３を介して論理「Ｌ」信号がマイコン１２に取り込まれ、論理合成部２０の出力信号が論理「Ｌ」である場合に、フォトカプラ３０がオフ状態となり、シリアルラインＬ３を介して論理「Ｈ」の信号がマイコン１２に取り込まれる。
【００６７】
こうした構成によれば、マイコン１２からシリアルラインＬ１，Ｌ２に出力されるクロック信号ＣＬＫの論理値を同一とすることで、電池セルＢ１１〜Ｂ（２ｎ）ｍの状態監視結果に関する情報を取得することができる。これは、マイコン１２の出力信号（クロック信号ＣＬＫ）とマイコン１２の入力信号との関係（図７）に基づき行われる。この際、マイコン１２では、クロック信号ＣＬＫの出力論理値を反転させた後、最下流の監視ユニットＵｎ、Ｕ（ｎ＋１）の双方に反転信号が伝達されるのに要すると想定される規定時間だけ待機した後に監視結果を取り込むようにする。この規定時間は、予め実験等に基づき適合されるものである。
【００６８】
以上詳述した本実施形態によれば、以下の効果が得られるようになる。
【００６９】
（１）監視ユニットＵｉを高電位側の監視ユニットＵｊと低電位側の監視ユニットＵｋとの２つのグループにグループ分けし、監視ユニットＵｎと監視ユニットＵ（ｎ＋１）とのそれぞれを介してマイコン１２に監視結果を出力した。ここで各グループが隣接する監視ユニットを介して信号を伝達するために、各監視ユニットＵｉの耐圧を極力低減することができる。また、２つのグループとすることで、監視結果を取得するまでに要する時間を極力低減することもできる。
【００７０】
（２）監視ユニットＵｎの出力信号と監視ユニットＵ（ｎ＋１）の出力信号とを論理合成する論理合成部２０を備えた。これにより、シリアルラインＬ３を介してマイコン１２に監視結果を出力することができる。また、電位的に隣接する監視ユニットＵｎ，Ｕ（ｎ＋１）の出力信号を合成することで、論理合成部２０に要求される耐圧を極力低減することもできる。
【００７１】
（３）論理合成部２０の出力信号をフォトカプラ３０を介してマイコン１２に出力した。このように、フォトカプラ３０の上流に論理合成部２０を備えることで、高圧システム及び低圧システム間を絶縁する手段の数を低減することができる。
【００７２】
（４）監視ユニットＵｎ，Ｕ（ｎ＋１）のそれぞれにとっての監視結果信号の伝達に関する最上流の監視ユニットＵ１，Ｕ２ｎにクロック信号ＣＬＫが出力されることで、クロック線ＣＬを介して監視ユニットＵｎ，Ｕ（ｎ＋１）までクロック信号ＣＬＫを伝達するようにした。これにより、最上流の監視ユニットＵ１，Ｕ２ｎを除いて、上流の監視ユニットからクロック信号ＣＬＫを受け取る構成のため、マイコン１２から監視ユニットＵｉの全てにクロック信号ＣＬＫを直接出力する場合と比較して、上記マイコン１２及び監視ユニットＵｉ間の電気経路の数を低減することができる。
【００７３】
（５）監視ユニットＵｉに、監視対象ブロックの各電池セルの状態監視結果に応じた信号を生成する手段を備え、監視結果信号の伝達に関する最上流以外の監視ユニットは、上流の監視ユニットから入力される信号と上記状態監視結果に応じた信号との合成信号を生成して出力するようにした。これにより、少ない数の信号によって監視結果に関する情報を取得することができる。
【００７４】
（６）監視ユニットＵｉに、監視対象ブロックの各電池セルの状態監視結果を合成する手段（ＯＲ回路４８、ＡＮＤ回路４９、検出合成部５０）を備えた。これにより、各電池セルの状態を監視しつつも、これら監視結果を伝達するための信号数を低減することができる。
【００７５】
（第２の実施形態）
以下、第２の実施形態について、先の第１の実施形態との相違点を中心に図面を参照しつつ説明する。
【００７６】
図８に、本実施形態にかかるシステム構成を示す。
【００７７】
図示されるように、本実施形態では、監視ユニットＵｎ、Ｕ（ｎ＋１）がそれぞれ各別に出力信号をマイコン１２に出力する。詳しくは、監視ユニットＵｎの監視対象ブロックの正極及び負極間には、フォトカプラ１１０のフォトダイオードとトランジスタ１１２との直列接続体が並列接続されており、監視ユニットＵｎの出力信号は、トランジスタ１１２に出力される。これにより、フォトカプラ１１０のフォトトランジスタを介してマイコン１２に監視ユニットＵｎの出力信号が入力される。一方、監視ユニットＵ（ｎ＋１）の監視対象ブロックの正極及び負極間には、フォトカプラ１１４のフォトダイオード及びトランジスタ１１６の直列接続体が並列接続されており、監視ユニットＵ（ｎ＋１）の出力信号は、トランジスタ１１６に出力される。これにより、フォトカプラ１１４のフォトトランジスタを介してマイコン１２に監視ユニットＵ（ｎ＋１）の出力信号が入力される。
【００７８】
こうした構成によれば、マイコン１２では、シリアルラインＬ１、Ｌ２に各別のクロック信号を出力することも可能となる。このため、過充電検出及び過放電検出の検出頻度を相違させることが可能となる。
【００７９】
ここで、本実施形態では、図示されるように、高電位側が高温側であり、低電位側が低温側である例を示している。これは、組電池１０が車両において大きな配置スペースを占有することに起因したものである。すなわち、車両内は温度分布を有する傾向にあるため、組電池１０にも温度分布が生じる。そして、電池セルＢ１１〜Ｂ（２ｎ）ｍは、温度に応じてその状態が相違し易い傾向がある。すなわち例えば、高温であるほど電池セルＢ１１〜Ｂ（２ｎ）ｍの内部抵抗が小さいために充電効率が上昇することなどから、過充電が生じ易い傾向にある。このため、高温であるほど過充電検出の頻度を高くする要求が生じる。
【００８０】
そこで本実施形態では、図９に示すように、高温側（図８の例の場合、高電位側）の監視ユニットＵｊのクロック信号ＣＬＫについては、過充電異常検出を指示する頻度を増加させるべく論理「Ｈ」の期間を長くする。これに対し、低温側（低電位側）の監視ユニットＵｋのクロック信号ＣＬＫが論理「Ｈ」となる期間の割合を、高温側よりも小さくする。これにより、高温側の監視ユニットＵｊでは、低温側の監視ユニットＵｋよりも、過充電検出の期間の割合を大きくすることができる。
【００８１】
以上説明した本実施形態によれば、先の第１の実施形態の上記（１）、（４）〜（６）の各効果に加えて、更に以下の効果が得られるようになる。
【００８２】
（７）高電位側の監視ユニットＵｊ及び低電位側の監視ユニットＵｋ同士で、複数の処理を行う頻度（期間の割合）が異なるように設定した。これにより、各監視処理をより適切に行うことができる。
【００８３】
（第３の実施形態）
以下、第３の実施形態について、先の第２の実施形態との相違点を中心に図面を参照しつつ説明する。
【００８４】
図１０に、本実施形態のシステム構成を示す。
【００８５】
本実施形態では、監視ユニットＵｎの監視対象ブロックと監視ユニットＵ（ｎ＋１）の監視対象ブロックとの間に、サービスプラグ１３０を接続した。ここで、サービスプラグ１３０は、メンテナンス時において作業を安全に行う等の目的で組電池１０を分割するための安全開閉器である。サービスプラグ１３０は、手動で開閉操作することが可能な開閉器となっている。
【００８６】
ここで本実施形態では、監視ユニットＵｎと監視ユニットＵ（ｎ＋１）とが各別にマイコン１２に信号を出力するものであるため、これら監視ユニットＵｎ，Ｕ（ｎ＋１）同士は、組電池１０以外に電気的な接続手段を持たない。このため、サービスプラグ１３０を的確に機能させることが可能となる。以下、これについて説明する。
【００８７】
上記各監視ユニットＵｉは、それぞれが集積回路（ＩＣ）としてチップ化されて構成されている。そしてこの場合、各監視ユニットＵｉを極力小型化するなどの目的から、各監視ユニットＵｉの耐圧は、各ブロック内の電池セルＢｉ１〜Ｂｉｍの電圧に応じて設定されている。しかし、この場合、例えば状態監視装置の製造時等において、各監視ユニットＵｉを互いに接続する際等に、監視ユニットＵｉの端子が何らかの部材と接触する際に静電気が生じることで、監視ユニットＵｉの端子に耐圧を超える電圧が印加されるおそれがある。このため、本実施形態では、監視ユニットＵｉの各端子に、監視ユニットＵｉの内部の回路（素子）を静電気に起因する過電圧の印加から保護する保護機能を設けている。図１１に、こうした保護機能の一部を模式的に示す。図１１（ａ）には、監視ユニットＵｊ側において、出力端子Ｔ４側から対象ブロックの正極側へと進む方向を順方向とするダイオードＤ１を例示している。これは、出力端子Ｔ４に高電位の部材が接触した場合であっても、出力端子Ｔ４及びブロックの正極間の電位差を、ダイオードＤ１の電圧降下程度に制限するためのものである。また、図１１（ｂ）には、監視ユニットＵｋ側において、ブロックの負極側から出力端子Ｔ４側へと進む方向を順方向とするダイオードＤ２を例示している。このダイオードＤ２は、出力端子Ｔ４が低電位のものに接触した場合であっても、出力端子及びブロックの負極間の電位差を、ダイオードＤ２の電圧降下量程度に制限するためのものである。
【００８８】
上記のような保護機能を備える場合、これがサービスプラグ１３０の迂回経路を構成するおそれがある。ただし、本実施形態のように、監視ユニットＵｎ，Ｕ（ｎ＋１）間での信号の授受がない構成の場合、図１２に示すように、これら監視ユニットＵｎ，Ｕ（ｎ＋１）間が開状態となるため、迂回経路が形成されることを好適に回避することができる。
【００８９】
以上説明した本実施形態によれば、先の第１の実施形態の上記（１）、（４）〜（６）や先の第２の実施形態の上記（７）の各効果に加えて、更に以下の効果が得られるようになる。
【００９０】
（８）監視ユニットＵｎの監視対象とするブロックと監視ユニットＵ（ｎ＋１）の監視対象とするブロックとの間に、サービスプラグ１３０を備えた。これにより、監視ユニットＵｉ同士の通信機能を備える場合であっても、この通信のための電気経路がサービスプラグ１３０の迂回経路となる事態を好適に回避することができる。
【００９１】
（その他の実施形態）
なお、上記各実施形態は、以下のように変更して実施してもよい。
【００９２】
・上記第１の実施形態において、論理合成部２０の構成としては、先の図１に例示したものに限らない。例えば、ＮＡＮＤ回路２６に代えて、ＡＮＤ回路を用いてもよい。
【００９３】
・上記各実施形態では、監視ユニットＵｉの数を偶数としたがこれに限らない。ここでも、上記第１の実施形態において監視ユニットＵｉの数を奇数とする場合、監視ユニットＵｎ、Ｕ（ｎ＋１）の双方の出力信号がクロック信号ＣＬＫによって指示されたものに応じたものとなったと想定される時間だけ待機した後、フォトカプラ３０を介して取り込まれる信号を監視結果とする。
【００９４】
・上記第１の実施形態では、監視ユニットＵｎ、Ｕ（ｎ＋１）の双方の出力信号がクロック信号ＣＬＫによって指示されたものに応じたものとなったと想定される時間だけ待機したがこれに限らない。例えば、監視ユニットＵｎと監視ユニットＵ（ｎ＋１）とのそれぞれが出力するクロック信号の論理値が同一となったか否かを判断する判断手段を備え、同一となったと判断されることで監視結果を取得するようにしてもよい。これは、監視ユニットＵｎと監視ユニットＵ（ｎ＋１）とのそれぞれが出力するクロック信号の排他的論理和信号をマイコン１２が別途取り込むことで実現することができる。またこれに代えて、監視ユニットＵｎと監視ユニットＵ（ｎ＋１）とのそれぞれが出力するクロック信号の排他的論理和信号と上記ＸＯＲ回路２２，２４の出力信号との否定論理積信号をトランジスタ２８に出力するようにしてもよい。
【００９５】
・複数の監視ユニットの出力信号同士を合成する合成手段としては、２つの監視ユニットの出力信号同士を合成するものに限らない。例えば、３つ以上の監視ユニットの出力信号同士を合成するものであってもよい。図１３に、４つの隣接する監視ユニットの出力信号を合成する例を示す。なお、図１３において、先の図１に示した部材に対応する部材については、便宜上同一の符号を付している。ここでは、各監視ユニットは、隣接する監視ユニットを飛び越えて、電位が２レベル相違する監視ユニットと信号線で接続される例を示している。もっとも、こうした構成に限らず、先の第１の実施形態と同様、隣接する監視ユニット同士が信号線にて接続され、この信号線を用いて信号を伝播させる構成としてもよい。ただし、この場合、３つ以上の監視ユニットの出力信号を合成する場合、これら監視ユニットの電位を互いに隣接したものとすることができないため、論理合成部２０の耐圧を増大させる要求が生じ得る。これを回避する一つの手法は、論理合成部２０をフォトカプラ等の絶縁手段の出力側に設けることである。換言すれば、低圧システム側に設けることである。この場合、絶縁手段の数は増大するものの、マイコン１２の入力端子数を低減する効果を得ることはできる。
【００９６】
・上記第３の実施形態において、高電位側の監視ユニットＵｊと低電位側の監視ユニットＵｋとで過充電異常及び過放電異常の検出頻度を同一としてもよい。この場合であっても、上記第３の実施形態の上記（８）の効果を得ることはできる。
【００９７】
・上記各実施形態では、シリアルラインを介して取り込まれるクロック信号の論理値に応じて監視ユニットＵｉで過充電異常検出及び過放電異常検出を選択的に行ったがこれに限らない。例えば、過充電異常を指令する信号線と過放電異常を指令する信号線とを別途備えてもよい。
【００９８】
・上記各実施形態では、監視ユニットＵｉが過充電異常検出及び過放電異常検出の双方を実行可能としたが、これに限らず、例えば過充電異常検出のみを実行可能な構成としてもよい。
【００９９】
・上記各実施形態では、信号の伝達経路における最上流以外の監視ユニットにおいて、上流の監視ユニットによる電池セルの状態の監視結果と対象とするブロック内の電池セルの状態の監視結果とを合成したがこれに限らない。例えば、上記特許文献１に記載されているように、クロック信号ＣＬＫによって特定のブロックや特定の電池セルの監視結果を監視対象とするように指定し、これをマイコン１２に取り込むようにしてもよい。
【０１００】
・上記各実施形態では、信号の伝達経路における最上流以外の監視ユニットには指示信号をマイコン１２から直接出力する代わりに、他の監視ユニットを介して伝達させたがこれに限らず、各監視ユニットにマイコン１２から直接指示信号を出力してもよい。
【０１０１】
・上記各実施形態では、電池セルの状態を監視対象としたがこれに限らず、例えばブロックの状態であってもよい。また、ブロック内の隣接する複数個の電池セル毎の状態であってもよい。
【０１０２】
・組電池１０を備える高圧システムと、取得手段（マイコン１２）を備える低圧システムとを絶縁する絶縁手段としては、フォトカプラに限らず、例えばフォトＭＯＳリレーや磁気絶縁素子等であってもよい。
【０１０３】
・電池セルとしては、リチウム２次電池に限らず、例えばニッケル水素２次電池等であってもよい。また２次電池に限らず、例えば燃料電池等であってもよい。
【０１０４】
・上記各実施形態では、状態監視装置をハイブリッド車に搭載したが、これに限らず、例えば電気自動車に搭載してもよい。
【符号の説明】
【０１０５】
１０…組電池、１２…マイコン（取得手段の一実施形態）、２０…論理合成部（出力信号合成手段の一実施形態）、Ｕ１〜Ｕ２ｎ…監視ユニット、Ｂ１１〜Ｂ（２ｎ）ｍ…電池セル。
【図１】
2010203993.tif 000003
【図２】
2010203993.tif 000004
【図３】
2010203993.tif 000005
【図４】
2010203993.tif 000006
【図５】
2010203993.tif 000007
【図６】
2010203993.tif 000008
【図７】
2010203993.tif 000009
【図８】
2010203993.tif 000010
【図９】
2010203993.tif 000011
【図１０】
2010203993.tif 000012
【図１１】
2010203993.tif 000013
【図１２】
2010203993.tif 000014
【図１３】
2010203993.tif 000015